【手続補正書】
【提出日】平成27年2月16日(2015.2.16)
【手続補正１】
【補正対象書類名】明細書
【補正対象項目名】００４７
【補正方法】変更
【補正の内容】
【００４７】
【表１】
2013075099.tif 000001
【手続補正２】
【補正対象書類名】明細書
【補正対象項目名】０１８８
【補正方法】変更
【補正の内容】
【０１８８】
【表２】
2013075099.tif 000002
【手続補正３】
【補正対象書類名】明細書
【補正対象項目名】０１８９
【補正方法】変更
【補正の内容】
【０１８９】
【表３】
2013075099.tif 000003
【手続補正４】
【補正対象書類名】明細書
【補正対象項目名】０２１０
【補正方法】変更
【補正の内容】
【０２１０】
［例６］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。
測定は、機器が自動で行うが、表面張力γは、以下の式により求められる（図１２を参照）。
【手続補正５】
【補正対象書類名】特許請求の範囲
【補正対象項目名】全文
【補正方法】変更
【補正の内容】
【特許請求の範囲】
【請求項１】
長手方向及び幅方向を有し、肌側に設けられた液透過性のトップシートと、着衣側に設けられた液不透過性のバックシートと、該トップシートと該バックシートとの間に介在する液保持性の吸収体と、前記トップシートの幅方向の両側に設けられた一対のサイドシートとを含む吸収性物品であって、
前記トップシートは、血液改質剤が塗布された血液改質剤塗布領域を有し、
前記血液改質剤は、０〜０．６０のＩＯＢと、４５℃以下の融点と、２５℃の水１００ｇに対する、０．０５ｇ以下の水溶解度とを有し、
前記血液改質剤塗布領域は、前記吸収性物品の端部に達しておらず、
前記血液改質剤塗布領域は、前記トップシートと前記サイドシートとが重なっている領域に達していない、
前記吸収性物品。
【請求項２】
前記トップシートと前記バックシートとが、エンボス加工または接着剤によって接合されているシール部を前記端部に有し、
前記血液改質剤塗布領域は、前記吸収性物品の前記シール部に達していない請求項１に記載の吸収性物品。
【請求項３】
前記トップシートは、前記トップシートの着衣側に前記吸収体が存在する吸収体存在領域を有し、
前記血液改質剤塗布領域は、前記吸収体存在領域の範囲内である請求項１または２に記載の吸収性物品。
【請求項４】
着用時に着用者の経血が排出される排出口に対向する領域を囲い、幅方向に比べて長手方向に長い環状の内側圧搾溝と、該内側圧搾溝を囲む外側圧搾溝とを前記トップシートは有し、
前記血液改質剤塗布領域は、前記外側圧搾溝の内側にあり、かつ前記内側圧搾溝が前記血液改質剤領域内に含まれるように前記トップシートに設けられている請求項１〜３のいずれか１項に記載の吸収性物品。
【請求項５】
前記吸収性物品の長手方向両端の部分および／または幅方向両側の部分に比べて、長手方向および／または幅方向の中央で嵩が高くなっている中高部分を有し、
前記トップシートは、前記血液改質剤塗布領域を前記中高部分に有する請求項１〜３のいずれか１項に記載の吸収性物品。
【請求項６】
幅方向に延出する一対のウイング部を有し、
前記ウイング部の着衣側の面に接着部が設けられ、
前記接着部には剥離シートが貼り付けられ、
前記一対のウイング部は、肌側の幅方向内側にそれぞれ折り畳まれており、
前記トップシートは、前記剥離シートに覆われている範囲内に前記血液改質剤塗布領域を有する請求項１〜５のいずれか１項に記載の吸収性物品。
【請求項７】
幅方向に延出する一対のウイング部を有し、
前記一対のウイング部は、肌側の幅方向内側にそれぞれ折り畳まれており、
前記トップシートは、前記折り畳まれた一対のウイング部に覆われている範囲内に前記血液改質剤塗布領域を有する請求項１〜５のいずれか１項に記載の吸収性物品。
【請求項８】
前記吸収性物品は、着用者の臀部を覆う領域と、着用者の下腹部を覆う領域とを含み、
前記着用者の臀部を覆う領域の長手方向の長さが、前記着用者の下腹部を覆う領域の長手方向の長さよりも長く、
前記血液改質剤塗布領域は、着用時に着用者の経血が排出される排出口に対向する領域に対して、前記着用者の臀部を覆う領域寄りにある請求項１〜３のいずれか１項に記載の吸収性物品。
【請求項９】
前記血液改質剤が、
（ｉ）炭化水素、
（ｉｉ）炭化水素のＣ−Ｃ単結合間に、少なくとも１つのカルボニル結合（−ＣＯ−）および／もしくは少なくとも１つのエーテル結合（−Ｏ−）が挿入された化合物、または
（ｉｉｉ）炭化水素のＣ−Ｃ単結合間に、少なくとも１つのカルボニル結合（−ＣＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ）または（ｉｉｉ）の化合物において、エーテル結合が２つ以上挿入されている場合には、エーテル結合同士は隣接していない、
請求項１〜８のいずれか１項に記載の吸収性物品。
【請求項１０】
前記血液改質剤が、
（ｉ’）炭化水素、
（ｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入された化合物、または
（ｉｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ’）または（ｉｉｉ’）の化合物において、２以上の結合が挿入されている場合には、各結合は隣接していない、
請求項１〜９のいずれか１項に記載の吸収性物品。
【請求項１１】
前記血液改質剤が、
（Ａ）２〜４個のヒドロキシル基を有する化合物と、１個のカルボキシル基を有する化合物とのエステル、
（Ｂ）２〜４個のヒドロキシル基を有する化合物と、１個のヒドロキシル基を有する化合物とのエーテル、
（Ｃ）２〜４個のカルボキシル基を有する化合物と、１個のヒドロキシル基を有する化合物とのエステル、
（Ｄ）炭化水素に、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つが挿入された化合物、
（Ｅ）ポリＣ2〜6アルキレングリコール、またはそのエステルもしくはエーテル、あるいは
（Ｆ）鎖状炭化水素、
である、請求項１〜１０のいずれか１項に記載の吸収性物品。
【請求項１２】
前記血液改質剤が、（Ａ1）鎖状炭化水素テトラオールと脂肪酸とのエステル、（Ａ2）鎖状炭化水素トリオールと脂肪酸とのエステル、（Ａ3）鎖状炭化水素ジオールと脂肪酸とのエステル、（Ｂ1）鎖状炭化水素テトラオールと脂肪族１価アルコールとのエーテル、（Ｂ2）鎖状炭化水素トリオールと脂肪族１価アルコールとのエーテル、（Ｂ3）鎖状炭化水素ジオールと脂肪族１価アルコールとのエーテル、（Ｃ1）４個のカルボキシル基を有する鎖状炭化水素テトラカルボン酸、ヒドロキシ酸、アルコキシ酸またはオキソ酸と、脂肪族１価アルコールとのエステル、（Ｃ2）３個のカルボキシル基を有する鎖状炭化水素トリカルボン酸、ヒドロキシ酸、アルコキシ酸またはオキソ酸と、脂肪族１価アルコールとのエステル、（Ｃ3）２個のカルボキシル基を有する鎖状炭化水素ジカルボン酸、ヒドロキシ酸、アルコキシ酸またはオキソ酸と、脂肪族１価アルコールとのエステル、（Ｄ1）脂肪族１価アルコールと脂肪族１価アルコールとのエーテル、（Ｄ2）ジアルキルケトン、（Ｄ3）脂肪酸と脂肪族１価アルコールとのエステル、（Ｄ4）ジアルキルカーボネート、（Ｅ1）ポリＣ2〜6アルキレングリコール、（Ｅ2）ポリＣ2〜6アルキレングリコールと脂肪酸とのエステル、（Ｅ3）ポリＣ2〜6アルキレングリコールと脂肪族１価アルコールとのエーテル、（Ｅ4）ポリＣ2〜6アルキレングリコールと、鎖状炭化水素テトラカルボン酸、鎖状炭化水素トリカルボン酸、または鎖状炭化水素ジカルボン酸とのエステル、（Ｅ5）ポリＣ2〜6アルキレングリコールと、鎖状炭化水素テトラオール、鎖状炭化水素トリオール、または鎖状炭化水素ジオールとのエーテル、および（Ｆ1）鎖状アルカンから成る群から選択される、請求項１〜１１のいずれか１項に記載の吸収性物品。